(57)【要約】【課題】他の装置で表示される映像に対応した音声情報を含む無線信号を受信して再生し、かつ良好な受信品質を実現することが可能なインターネット電話機およびインターネット電話システムを提供する。【解決手段】インターネット電話機１０２は、他の装置で表示される映像に対応した音声信号が変換された第１の無線信号およびインターネット電話信号が変換された第２の無線信号を受信する受信部２１と、第１の無線信号または第２の無線信号を選択する制御部２２と、制御部２２の選択に基づいて、第１の無線信号または第２の無線信号を音声信号に変換する音声処理部２３とを含む。【選択図】図３
2008166978.tif 000002
【特許請求の範囲】
【請求項１】
映像表示装置と、インターネット電話機とを備えるインターネット電話システムであって、
前記映像表示装置は、
映像を表示する表示部と、
前記映像に対応した音声信号を取得する第１の音声処理部と、
前記音声信号を第１の無線信号に変換して送信する送信部とを含み、
前記インターネット電話機は、
インターネット電話信号が変換された第２の無線信号および前記第１の無線信号を受信する受信部と、
前記第１の無線信号または前記第２の無線信号を選択する制御部と、
前記制御部の選択に基づいて、前記第１の無線信号または前記第２の無線信号を音声信号に変換する第２の音声処理部とを含み、
前記インターネット電話機は、さらに、
ヘッドホン、イヤホンまたはヘッドセットが接続されるコネクタを備え、
前記第２の音声処理部は、前記変換した音声信号を前記コネクタを介して前記ヘッドホン、前記イヤホンまたは前記ヘッドセットへ出力し、
前記第２の音声処理部は、前記第１の無線信号をストリーミング再生方式により音声信号に変換し、
前記映像表示装置は、さらに、
テレビジョン放送信号を受信する受信部と、
前記受信したテレビジョン放送信号から映像信号を抽出する映像処理部とを含み、
前記表示部は、前記映像信号に基づいて映像を表示し、
前記音声処理部は、前記受信したテレビジョン放送信号から前記映像に対応した音声信号を抽出するインターネット電話システム。
【請求項２】
映像表示装置と、インターネット電話機とを備えるインターネット電話システムであって、
前記映像表示装置は、
映像を表示する表示部と、
前記映像に対応した音声信号を取得する第１の音声処理部と、
前記音声信号を第１の無線信号に変換して送信する送信部とを含み、
前記インターネット電話機は、
インターネット電話信号が変換された第２の無線信号および前記第１の無線信号を受信する受信部と、
前記第１の無線信号または前記第２の無線信号を選択する制御部と、
前記制御部の選択に基づいて、前記第１の無線信号または前記第２の無線信号を音声信号に変換する第２の音声処理部とを含むインターネット電話システム。
【請求項３】
前記インターネット電話機は、さらに、
ヘッドホン、イヤホンまたはヘッドセットが接続されるコネクタを備え、
前記第２の音声処理部は、前記変換した音声信号を前記コネクタを介して前記ヘッドホン、前記イヤホンまたは前記ヘッドセットへ出力する請求項２記載のインターネット電話システム。
【請求項４】
前記第２の音声処理部は、前記第１の無線信号をストリーミング再生方式により音声信号に変換する請求項２記載のインターネット電話システム。
【請求項５】
前記映像表示装置は、さらに、
テレビジョン放送信号を受信する受信部と、
前記受信したテレビジョン放送信号から映像信号を抽出する映像処理部とを含み、
前記表示部は、前記映像信号に基づいて映像を表示し、
前記音声処理部は、前記受信したテレビジョン放送信号から前記映像に対応した音声信号を抽出する請求項２記載のインターネット電話システム。
【請求項６】
他の装置で表示される映像に対応した音声信号が変換された第１の無線信号およびインターネット電話信号が変換された第２の無線信号を受信する受信部と、
前記第１の無線信号または前記第２の無線信号を選択する制御部と、
前記制御部の選択に基づいて、前記第１の無線信号または前記第２の無線信号を音声信号に変換する音声処理部と、
ヘッドホン、イヤホンまたはヘッドセットが接続されるコネクタとを備え、
前記音声処理部は、前記変換した音声信号を前記コネクタを介して前記ヘッドホン、前記イヤホンまたは前記ヘッドセットへ出力し、
前記音声処理部は、前記第１の無線信号をストリーミング再生方式により音声信号に変換するインターネット電話機。
【請求項７】
他の装置で表示される映像に対応した音声信号が変換された第１の無線信号およびインターネット電話信号が変換された第２の無線信号を受信する受信部と、
前記第１の無線信号または前記第２の無線信号を選択する制御部と、
前記制御部の選択に基づいて、前記第１の無線信号または前記第２の無線信号を音声信号に変換する音声処理部とを含むインターネット電話機。
【請求項８】
前記インターネット電話機は、さらに、
ヘッドホン、イヤホンまたはヘッドセットが接続されるコネクタを備え、
前記音声処理部は、前記変換した音声信号を前記コネクタを介して前記ヘッドホン、前記イヤホンまたは前記ヘッドセットへ出力する請求項７記載のインターネット電話機。
【請求項９】
前記音声処理部は、前記第１の無線信号をストリーミング再生方式により音声信号に変換する請求項７記載のインターネット電話機。
【発明の詳細な説明】
【技術分野】
【０００１】
本発明は、インターネット電話機およびインターネット電話システムに関し、特に、インターネット電話以外の音声を再生する機能を追加したインターネット電話機およびインターネット電話システムに関する。
【背景技術】
【０００２】
インターネット電話（ＩＰ（Internet Protocol）電話）に対応した携帯電話機は、今後普及が予想される。たとえば、特許文献１〜４には、無線機能を有し、音声信号を処理する装置が開示されている。
【特許文献１】特開平５−９１１６９号公報
【特許文献２】特開２００２−９９０３号公報
【特許文献３】特開２００２−３００２３８号公報
【特許文献４】特開２００１−３０８９７５号公報
【発明の開示】
【発明が解決しようとする課題】
【０００３】
しかしながら、特許文献１〜４では、テレビジョン装置等、他の装置で表示される映像に対応した音声情報を含む無線信号を受信して再生し、かつ良好な受信品質を実現する構成は開示されていない。
【０００４】
それゆえに、本発明の目的は、他の装置で表示される映像に対応した音声情報を含む無線信号を受信して再生し、かつ良好な受信品質を実現することが可能なインターネット電話機およびインターネット電話システムを提供することである。
【課題を解決するための手段】
【０００５】
上記課題を解決するために、本発明のある局面に係わるインターネット電話システムは、映像表示装置と、インターネット電話機とを備えるインターネット電話システムであって、映像表示装置は、映像を表示する表示部と、映像に対応した音声信号を取得する第１の音声処理部と、音声信号を第１の無線信号に変換して送信する送信部とを含み、インターネット電話機は、インターネット電話信号が変換された第２の無線信号および第１の無線信号を受信する受信部と、第１の無線信号または第２の無線信号を選択する制御部と、制御部の選択に基づいて、第１の無線信号または第２の無線信号を音声信号に変換する第２の音声処理部とを含み、インターネット電話機は、さらに、ヘッドホン、イヤホンまたはヘッドセットが接続されるコネクタを備え、第２の音声処理部は、変換した音声信号をコネクタを介してヘッドホン、イヤホンまたはヘッドセットへ出力し、第２の音声処理部は、第１の無線信号をストリーミング再生方式により音声信号に変換し、映像表示装置は、さらに、テレビジョン放送信号を受信する受信部と、受信したテレビジョン放送信号から映像信号を抽出する映像処理部とを含み、表示部は、映像信号に基づいて映像を表示し、音声処理部は、受信したテレビジョン放送信号から映像に対応した音声信号を抽出する。
【０００６】
また本発明のさらに別の局面に係わるインターネット電話システムは、映像表示装置と、インターネット電話機とを備えるインターネット電話システムであって、映像表示装置は、映像を表示する表示部と、映像に対応した音声信号を取得する第１の音声処理部と、音声信号を第１の無線信号に変換して送信する送信部とを含み、インターネット電話機は、インターネット電話信号が変換された第２の無線信号および第１の無線信号を受信する受信部と、第１の無線信号または第２の無線信号を選択する制御部と、制御部の選択に基づいて、第１の無線信号または第２の無線信号を音声信号に変換する第２の音声処理部とを含む。
【０００７】
好ましくは、インターネット電話機は、さらに、ヘッドホン、イヤホンまたはヘッドセットが接続されるコネクタを備え、第２の音声処理部は、変換した音声信号をコネクタを介してヘッドホン、イヤホンまたはヘッドセットへ出力する。
【０００８】
好ましくは、第２の音声処理部は、第１の無線信号をストリーミング再生方式により音声信号に変換する。
【０００９】
好ましくは、映像表示装置は、さらに、テレビジョン放送信号を受信する受信部と、受信したテレビジョン放送信号から映像信号を抽出する映像処理部とを含み、表示部は、映像信号に基づいて映像を表示し、音声処理部は、受信したテレビジョン放送信号から映像に対応した音声信号を抽出する。
【００１０】
上記課題を解決するために、本発明のある局面に係わるインターネット電話機は、他の装置で表示される映像に対応した音声信号が変換された第１の無線信号およびインターネット電話信号が変換された第２の無線信号を受信する受信部と、第１の無線信号または第２の無線信号を選択する制御部と、制御部の選択に基づいて、第１の無線信号または第２の無線信号を音声信号に変換する音声処理部と、ヘッドホン、イヤホンまたはヘッドセットが接続されるコネクタとを備え、音声処理部は、変換した音声信号をコネクタを介してヘッドホン、イヤホンまたはヘッドセットへ出力し、音声処理部は、第１の無線信号をストリーミング再生方式により音声信号に変換する。
【００１１】
また本発明のさらに別の局面に係わるインターネット電話機は、他の装置で表示される映像に対応した音声信号が変換された第１の無線信号およびインターネット電話信号が変換された第２の無線信号を受信する受信部と、第１の無線信号または第２の無線信号を選択する制御部と、制御部の選択に基づいて、第１の無線信号または第２の無線信号を音声信号に変換する音声処理部とを含む。
【００１２】
好ましくは、インターネット電話機は、さらに、ヘッドホン、イヤホンまたはヘッドセットが接続されるコネクタを備え、音声処理部は、変換した音声信号をコネクタを介してヘッドホン、イヤホンまたはヘッドセットへ出力する。
【００１３】
好ましくは、音声処理部は、第１の無線信号をストリーミング再生方式により音声信号に変換する。
【発明の効果】
【００１４】
本発明によれば、他の装置で表示される映像に対応した音声情報を含む無線信号を受信して再生し、かつ良好な受信品質を実現することができる。
【発明を実施するための最良の形態】
【００１５】
以下、本発明の実施の形態について図面を用いて説明する。なお、図中同一または相当部分には同一符号を付してその説明は繰り返さない。
【００１６】
［構成および基本動作］
図１は、本発明の実施の形態に係るインターネット電話システムの構成を示す図である。
【００１７】
図１を参照して、インターネット電話システム２０１は、テレビジョン装置（映像表示装置）１０１と、インターネット電話機１０２と、ストリーミングサーバ１０４と、アクセスポイント１０５とを備える。また、インターネット電話機１０２にはヘッドセット１０３が取り付けられる。
【００１８】
テレビジョン装置１０１は、テレビジョン放送信号を受信し、受信したテレビジョン放送信号に基づいて映像を表示する。また、テレビジョン装置１０１は、受信したテレビジョン放送信号から、表示する映像に対応した音声信号を抽出し、抽出した音声信号をテレビジョン無線信号（第１の無線信号）に変換してインターネット電話機１０２へ送信する。なお、テレビジョン装置１０１は、テレビジョン無線信号を送信する送信部を内蔵する構成であってもよいし、ヘッドホン等を接続する音声出力端子に無線機が接続される構成であってもよい。
【００１９】
アクセスポイント１０５は、ネットワーク１０６を介して受信したインターネット電話信号をインターネット電話無線信号（第２の無線信号）に変換してインターネット電話機１０２へ送信する。インターネット電話信号には、音声および呼び出し音等が含まれる。
【００２０】
また、ストリーミングサーバ１０４は、ネットワーク１０６を介してダウンロードした、すなわちネットワーク１０６から受信した音声および映像等のデジタルコンテンツをストリーミング方式に対応するデータに変換し、変換したデータをデジタルコンテンツ無線信号に変換してインターネット電話機１０２へ送信する。なお、ストリーミングサーバ１０４は、ネットワーク１０６から受信したストリーミング方式に対応する音声および映像等のデータをデジタルコンテンツ無線信号に変換してインターネット電話機１０２へ送信する構成であってもよい。
【００２１】
インターネット電話機１０２は、テレビジョン装置１０１から受信したテレビジョン無線信号およびアクセスポイント１０５から受信したインターネット電話無線信号を音声信号に変換し、変換した音声信号をヘッドセット１０３へ出力する。
【００２２】
また、インターネット電話機１０２は、ストリーミングサーバ１０４から受信したデジタルコンテンツ無線信号をストリーミング再生方式により音声信号および映像信号等に変換する。そして、インターネット電話機１０２は、変換した映像信号に基づいて映像を表示し、また、変換した音声信号をヘッドセット１０３へ出力する。
【００２３】
図２は、本発明の実施の形態に係るテレビジョン装置の構成を示す機能ブロック図である。
【００２４】
図２を参照して、テレビジョン装置１０１は、放送信号受信部１と、デスクランブラ２と、ＡＶ（Audio Visual）デコーダ３と、音声処理部（第１の音声処理部）４と、スピーカ５と、映像処理部６と、ディスプレイ（表示部）７と、ネットワークＩ／Ｆ（インタフェース）部８と、操作入力部９と、リモコン受光部１０と、ＣＰＵ（Central Processing Unit）１１と、メモリ（Random Access Memory）１２と、ＲＯＭ（Read Only Memory）１３と、増幅／ＡＤ（Analog Digital）変換部１４と、ジャック（コネクタ）Ｊ１とを含む。なお、テレビジョン装置１０１は、送受信部１５を含む構成であってもよい。
【００２５】
放送信号受信部１は、アンテナＡＮＴを介してスクランブル処理されたテレビジョン放送信号を受信し、デスクランブラ２へ出力する。
【００２６】
デスクランブラ２は、放送信号受信部１から受けたテレビジョン放送信号に対してデスクランブル処理を行なうことによりスクランブル処理前の信号に復元し、復元後の信号をＡＶデコーダ３へ出力する。
【００２７】
ＡＶデコーダ３は、デスクランブラ２から受けた復元後の信号に対して復号処理を行ない、復号後の信号を音声処理部４および映像処理部６へ出力する。
【００２８】
映像処理部６は、ＡＶデコーダ３から受けた復号後の信号から映像信号を抽出し、抽出した映像信号をディスプレイ７へ出力する。ディスプレイ７は、映像処理部６から受けた映像信号に基づいて映像を表示する。
【００２９】
音声処理部４は、ＡＶデコーダ３から受けた復号後の信号から音声信号を抽出する、すなわち、ディスプレイ７が表示する映像に対応した音声信号を取得する。そして、音声処理部４は、抽出した音声信号をスピーカ５へ出力する。スピーカ５は、音声処理部４から受けた音声信号に基づいて音声を発する。また、音声処理部４は、抽出した音声信号をジャックＪ１を介して送受信部１５へ出力する。
【００３０】
送受信部１５は、音声処理部４から受けた音声信号を無線信号に変換してインターネット電話機１０２へ送信する。また、送受信部１５は、インターネット電話機１０２からの無線信号を受信し、増幅／ＡＤ変換部１４へ出力する。送受信部１５は、たとえば無線ＬＡＮの標準規格であるＩＥＥＥ８０２．１１ａ／１１ｂ／１１ｇすなわちＷｉＦｉ（Wireless Fidelity）に対応している。
【００３１】
増幅／ＡＤ変換部１４は、送受信部１５から受けた信号を増幅し、増幅した信号をデジタルデータに変換し、ＣＰＵ１１へ出力する。
【００３２】
操作入力部９は、ユーザによるテレビジョン装置１０１におけるボタン押下等の操作を認識し、操作情報を表わすデータをＣＰＵ１１へ出力する。
【００３３】
リモコン受光部１０は、ユーザによるリモコンにおけるボタン押下等の操作を認識し、操作情報を表わすデータをＣＰＵ１１へ出力する。
【００３４】
ネットワークインタフェース部８は、ネットワークから受信したデータをＣＰＵ１１へ出力する。
【００３５】
ＣＰＵ１１は、メモリ１２およびＲＯＭ１３が保存するデータ、ならびに増幅／ＡＤ変換部１４、ネットワークインタフェース部８、操作入力部９およびリモコン受光部１０から受けたデータに基づいて、テレビジョン装置１０１における各ブロックを制御する。
【００３６】
図３は、本発明の実施の形態に係るインターネット電話機の構成を示す機能ブロック図である。
【００３７】
図３を参照して、インターネット電話機１０２は、受信部２１と、ＣＰＵ（制御部）２２と、音声処理部（第２の音声処理部）２３と、ビデオ処理部２４と、ＬＣＤ（Liquid Crystal Display）２５と、ストレージ部２６と、メモリ２７と、操作入力部２８と、ジャック（コネクタ）Ｊ２１とを含む。受信部２１および送信部２９は、たとえば無線ＬＡＮの標準規格であるＩＥＥＥ８０２．１１ａ／１１ｂ／１１ｇすなわちＷｉＦｉ（Wireless Fidelity）に対応している。
【００３８】
ジャックＪ２１には、ヘッドセット１０３が接続される。ジャックＪ２１には、イヤホンまたはヘッドホンが接続されてもよい。
【００３９】
受信部２１は、テレビジョン装置１０１およびアクセスポイント１０５から受信した無線信号を受信し、受信信号としてＣＰＵ２２へ出力する。
【００４０】
ＣＰＵ２２は、たとえばユーザの操作に基づいて、テレビジョン装置１０１から受信したテレビジョン無線信号、アクセスポイント１０５から受信したインターネット電話無線信号およびストリーミングサーバ１０４から受信したデジタルコンテンツ無線信号のうちのいずれか１個を選択し、選択した無線信号に対応する受信信号を音声処理部２３へ出力する。
【００４１】
音声処理部２３は、ＣＰＵ２２がテレビジョン無線信号を選択した場合には、ＣＰＵ２２から受けた受信信号をたとえばストリーミング再生方式により音声信号に変換する。すなわち、音声処理部２３は、ＣＰＵ２２から受信信号を新たに受けた音声信号を図示しないバッファに一時保存すると同時に以前ＣＰＵ２２から受けた受信信号をバッファから取得して音声信号に変換する。ここで、音声信号への変換処理は映像信号への変換処理と比べて処理時間が短いため、テレビジョン装置１０１における映像の表示に対するインターネット電話機１０２における音声の再生の遅延はユーザがほとんど認識しない程度に抑えることができる。
【００４２】
音声処理部２３は、たとえばデジタルメディアプレーヤー（ＤＭＰ）機能およびストリーミングクライアント機能等に対応している。
【００４３】
また、音声処理部２３は、ＣＰＵ２２がインターネット電話無線信号を選択した場合には、ＣＰＵ２２から受けた受信信号を音声信号に変換する。
【００４４】
ＣＰＵ２２は、デジタルコンテンツ無線信号を選択した場合には、デジタルコンテンツ無線信号に対応する受信信号を音声処理部２３およびビデオ処理部２４へ出力する。
【００４５】
音声処理部２３は、ＣＰＵ２２がデジタルコンテンツ無線信号を選択した場合には、ＣＰＵ２２から受けた受信信号をたとえばストリーミング再生方式により音声信号に変換する。
【００４６】
ビデオ処理部２４は、ＣＰＵ２２から受けた受信信号に基づいて映像信号を生成し、生成した映像信号をＬＣＤ２５へ出力する。ＬＣＤ２５は、ビデオ処理部２４から受けた映像信号に基づいて映像を表示する。
【００４７】
そして、音声処理部２３は、変換した音声信号をジャックＪ２１を介してヘッドセット１０３へ出力する。ヘッドセット１０３は、音声処理部２３から受けた音声信号に基づいて音声を発する。なお、インターネット電話機１０２は、ヘッドセット１０３の代わりに、マイクおよびスピーカを内部に備える構成であってもよい。
【００４８】
ストレージ部２６は、ストリーミングサーバ１０４から受信したデジタルコンテンツ無線信号に含まれる音声および映像等のデジタルコンテンツあるいはストレージ部２６に直接書き込まれたデジタルコンテンツを保存する。ＣＰＵ２２は、ストレージ部２６からデジタルコンテンツを読み出し、音声処理部２３およびビデオ処理部２４へ出力する。
【００４９】
送信部２９は、ＣＰＵ２２から受けた制御データおよび通話データ等を無線信号に変換し、無線信号をテレビジョン装置１０１およびアクセスポイント１０５へ送信する。
【００５０】
ところで、特許文献１〜４では、テレビジョン装置等、他の装置で表示される映像に対応した音声情報を含む無線信号を受信して再生し、かつ良好な受信品質を実現する構成は開示されていない。しかしながら、本発明の実施の形態に係るインターネット電話機では、ＣＰＵ２２は、たとえばユーザの操作に基づいて、テレビジョン装置１０１から受信したテレビジョン無線信号、アクセスポイント１０５から受信したインターネット電話無線信号およびストリーミングサーバ１０４から受信したデジタルコンテンツ無線信号のうちのいずれか１個を選択し、選択した無線信号に対応する受信信号を音声処理部２３へ出力する。音声処理部２３は、ＣＰＵ２２の選択に基づいて、テレビジョン無線信号を音声信号に変換するか、インターネット電話無線信号を音声信号に変換するか、あるいはデジタルコンテンツ無線信号を音声信号に変換するかを切り替え、変換した音声信号をコネクタＪ２１を介してヘッドセット１０３へ出力する。このような構成により、テレビジョン装置１０１等、他の装置で表示される映像に対応した音声情報を含む無線信号を受信して音声再生を行なうことができる。また、テレビジョン装置１０１の音声をインターネット電話機１０２で再生する構成により、インターネット電話機１０２の高い無線受信機能を有効に利用して良好な受信品質を実現することができる。
【００５１】
また、テレビジョン装置１０１の音声をインターネット電話機１０２でリアルタイム再生する構成により、テレビジョン放送信号等、リアルタイム処理が要求される音声情報を含む無線信号を受信してリアルタイム再生を行なうことができる。また、インターネット電話機１０２に接続されるヘッドセットを有効に利用することができる。また、テレビジョン装置１０１の音声を再生する機能をインターネット電話機１０２に追加することにより、インターネット電話機１０２の付加価値を高めることができる。
【００５２】
なお、本発明の実施の形態に係るインターネット電話機では、ＣＰＵ２２は、たとえばユーザの操作に基づいて、テレビジョン装置１０１から受信したテレビジョン無線信号、アクセスポイント１０５から受信したインターネット電話無線信号およびストリーミングサーバ１０４から受信したデジタルコンテンツ無線信号のうちのいずれか１個を選択し、選択した無線信号に対応する受信信号を音声処理部２３へ出力する。そして、音声処理部２３は、ＣＰＵ２２から受けた楽曲データまたは受信信号を音声信号に変換する構成であるとしたが、これに限定するものではない。
【００５３】
たとえば、音声処理部２３が受信部２１からテレビジョン無線信号、インターネット電話無線信号およびデジタルコンテンツ無線信号に対応した受信信号をそれぞれ受ける。ＣＰＵ２２は、たとえばユーザの操作に基づいて、テレビジョン装置１０１から受信したテレビジョン無線信号、アクセスポイント１０５から受信したインターネット電話無線信号およびストリーミングサーバ１０４から受信したデジタルコンテンツ無線信号のうちのいずれか１個を選択し、選択結果を表わす制御信号を音声処理部２３へ出力する。そして、音声処理部２３は、ＣＰＵ２２から受けた制御信号に基づいて、テレビジョン無線信号を音声信号に変換するか、インターネット電話無線信号を音声信号に変換するか、あるいはデジタルコンテンツ無線信号を音声信号に変換するかを切り替える構成であってもよい。
【００５４】
また、本発明の実施の形態に係るインターネット電話システムでは、テレビジョン装置１０１を備える構成であるとしたが、これに限定するものではない。映像を表示し、映像に対応した音声信号を無線信号に変換して送信する他の映像表示装置をテレビジョン装置１０１の代わりに使用する構成であってもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の実施の形態に係るインターネット電話システムの構成を示す図である。
【図２】本発明の実施の形態に係るテレビジョン装置の構成を示す機能ブロック図である。
【図３】本発明の実施の形態に係るインターネット電話機の構成を示す機能ブロック図である。
【符号の説明】
【００５７】
１  放送信号受信部、２  デスクランブラ、３  ＡＶ（Audio Visual）デコーダ、４  音声処理部（第１の音声処理部）、５  スピーカ、６  映像処理部、７  ディスプレイ（表示部）、８  ネットワークＩ／Ｆ部、９  操作入力部、１０  リモコン受光部、１１  ＣＰＵ、１２  ＲＡＭ、２７  メモリ、１３  ＲＯＭ、１４  増幅／ＡＤ変換部、２１  受信部、２２  ＣＰＵ（制御部）、２３  音声処理部（第２の音声処理部）、２４  ビデオ処理部、２５  ＬＣＤ、２６  ストレージ部、２８  操作入力部、１０１  テレビジョン装置（映像表示装置）、１０２  インターネット電話機、１０３  ヘッドセット、１０４  ストリーミングサーバ、１０５  アクセスポイント、１０６  ネットワーク、２０１  インターネット電話システム、Ｊ１，Ｊ２１  ジャック（コネクタ）。
【図１】
2008166978.tif 000003
【図２】
2008166978.tif 000004
【図３】
2008166978.tif 000005